(57)【要約】【課題】包装材を人目に付く場所に置いた場合でも、包装材を置いたことによる違和感や抵抗感等を軽減できる吸収性物品の包装材を提供する。【解決手段】この包装材１は、複数の吸収性物品を収容する内側袋部材２と、その内側袋部材２の外側から複数の吸収性物品４を収容する外側袋部材３とを備える。外側袋部材３の少なくとも一部は、外側袋部材３を透して内部を視認できるように、透明又は半透明となっている。例えば、吸収性物品４の製品情報を外側袋部材３に表示することにより、内側袋部材３に吸収性物品４の製品情報を表示する必要ない。【選択図】図１
2011020711.tif 000002
【特許請求の範囲】
【請求項１】
吸収性物品の包装材であって、
複数の吸収性物品を収容する内側袋部材と、
前記内側袋部材の外側から前記複数の吸収性物品を収容する外側袋部材と、
を備えることを特徴とする吸収性物品の包装材。
【請求項２】
請求項１に記載の吸収性物品の包装材において、
前記外側袋部材の少なくとも一部は、透明又は半透明であることを特徴とする吸収性物品の包装材。
【請求項３】
吸収性物品の包装材であって、
複数の吸収性物品を収容する袋状の袋部材と、
前記袋部材に着脱自在に貼着されており、前記袋部材が開封されたときに前記袋部材の開封部分に着脱自在に貼着可能とされた止めシールと、
を備えることを特徴とする吸収性物品の包装材。
【請求項４】
請求項３に記載の吸収性物品の包装材であって、
前記袋部材の一部が破断可能に弱化されてなる弱化部をさらに備えることを特徴とする吸収性物品の包装材。
【発明の詳細な説明】
【技術分野】
【０００１】
本発明は、吸収性物品の包装材に関する。
【背景技術】
【０００２】
使い捨ておむつ等の複数の吸収性物品を収容する従来の包装材は、袋状の構造を有する袋部材が一重に設けられたものが一般的であり、袋部材には収容している吸収性物品の商品名及び出所（製造元又は販売元等）に関する製品情報が表示されている。このため、包装材を一見すると、その中に吸収性物品が入っていることが直ぐに分かるようになっているとともに、包装材を病院又は自宅等に置いた場合、包装材が目に付きやすい傾向がある。また、利用者の中には、包装材に吸収性物品が入っていることを他人に見られるのを嫌う場合がある。そのような場合には、吸収性物品が入った包装材を他の袋部材等に収容したり、包装材を人目に付きにくい場所に置く等の手間のかかる対策が必要となる。
【０００３】
また、吸収性物品を収容する従来の包装材として、包装材の開封のために、ミシン目等が設けられたものがある。しかし、一旦開封された開封部分が開いたままの状態となり、包装材の開封部分から中の吸収性物品が露わになり、人目に付きやすいという問題がある。さらに、吸収性物品が埃をかぶったり、開封部分から吸収性物品がこぼれ落ちる場合もある。
【発明の概要】
【発明が解決しようとする課題】
【０００４】
そこで、本発明の解決すべき第１の課題は、包装材を人目に付く場所に置いた場合でも、包装材を置いたことによる違和感や抵抗感等を軽減できる吸収性物品の包装材を提供することである。
【０００５】
また、本発明の解決すべき第２の課題は、包装材の開封された開封部分を閉じることができる吸収性物品の包装材を提供することである。
【課題を解決するための手段】
【０００６】
上記の課題を解決するため、請求項１の発明では、吸収性物品の包装材であって、複数の吸収性物品を収容する内側袋部材と、前記内側袋部材の外側から前記複数の吸収性物品を収容する外側袋部材とを備える。
【０００７】
また、請求項２の発明では、請求項１の発明に係る吸収性物品の包装材において、前記外側袋部材の少なくとも一部は、透明又は半透明である。
【０００８】
また、請求項３の発明では、吸収性物品の包装材であって、複数の吸収性物品を収容する袋状の袋部材と、前記袋部材に着脱自在に貼着されており、前記袋部材が開封されたときに前記袋部材の開封部分に着脱自在に貼着可能とされた止めシールとを備える。
【０００９】
また、請求項４の発明では、請求項３の発明に係る吸収性物品の包装材であって、前記袋部材の一部が破断可能に弱化されてなる弱化部をさらに備える。
【発明の効果】
【００１０】
請求項１に記載の発明によれば、複数の吸収性物品が内側袋部材及び外側袋部材からなる二重の袋部材によって収容されているため、内側袋部材の意匠の選択の自由度を拡大できる。例えば、包装材に収容している吸収性物品の商品名及び出所（製造元又は販売元等）に関する製品情報は外側袋部材に表示しておけば、内側袋部材には製品情報を表示する必要がなく、内側袋部材の意匠は自由に選択できる。このため、利用者が吸収性物品を購入した後で、外側袋部材を取り外すことにより、吸収性物品が入った内側袋部材を人目に付く場所に置いた場合でも、内側袋部材を置いたことによる違和感や抵抗感等を軽減できる。その結果、従来のように、吸収性物品が入った包装材を他の袋部材等に収容したり、包装材を人目に付きにくい場所に置く等の手間のかかる対策も必要なくなる。
【００１１】
請求項２に記載の発明によれば、外側袋部材の少なくとも一部が透明又は半透明であるため、利用者が吸収性物品の購入時等に外側袋部材を介して内側袋部材の意匠を確認でき、便利である。
【００１２】
請求項３に記載の発明によれば、止めシールを袋部材の開封部分に貼着することにより、開封部分を閉じることができるとともに、止めシールを着脱することにより、開封部分の開閉にも対応できる。その結果、開封部分を止めシールで閉じることにより、開封部分から中の吸収性物品が露わになり、人目に付くのを回避できるとともに、吸収性物品が埃をかぶったり、開封部分から吸収性物品がこぼれ落ちる等の不都合も回避できる。
【００１３】
請求項４に記載の発明によれば、袋部材における弱化部が破断されて開封された開封部分を止めシールによって閉じることができる。
【図面の簡単な説明】
【００１４】
【図１】本発明の一実施形態に係る吸収性物品の包装材における外側袋部材の一部が説明のために破断された斜視図である。
【図２】図１の吸収性物品の包装材の上面図である。
【図３】図１の吸収性物品の包装材の内側袋部材の構成を示す斜視図である。
【図４】図３の内側袋部材における開封部分が開封された状態を示す図である。
【図５】図３の内側袋部材における開封部分が止めシールによって閉じられた状態を示す図である。
【発明を実施するための形態】
【００１５】
図１は本発明の一実施形態に係る吸収性物品の包装材（以下、単に「包装材」という）における外側袋部材の一部が説明のために破断された斜視図であり、図２はその包装材の上面図であり、図３はその包装材の内側袋部材の構成を示す斜視図である。
【００１６】
この包装材１は、図１に示すように、複数の吸収性物品４（図４参照）を収容する内側袋部材２と、その内側袋部材２の外側から複数の吸収性物品４を収容する外側袋部材３とを備える。吸収性物品４の具体例としては、使い捨ておむつなどが挙げられる。内側袋部材２及び外側袋部材３は、樹脂等かなるシート材によって形成された袋状の部材である。吸収性物品４が圧縮された状態で内側袋部材２内に収容される。
【００１７】
外側袋部材３の少なくとも一部は、外側袋部材３を透して内部を視認できるように、透明又は半透明となっている。本実施形態では、外側袋部材３における製品情報表示領域６以外の部分の全体又は一部が透明又は半透明となっている。製品表示領域６には、包装材１に収容している吸収性物品４の商品名及び出所（製造元又は販売元等）に関する製品情報が表示される。なお、製品表示領域６は外側袋部材３の外面の１カ所に設けてもよいし、複数箇所に設けてもよい。また、変形例として、外側袋部材３の全体を透明又は半透明にしてもよい。
【００１８】
外側袋部材３（例えば外側袋部材３の上面部）には、図１及び図２に示すように、外側袋部材３を破断可能なようにミシン目等からなる弱化部７が設けられており、弱化部７を手で引き裂く等して破断することにより、外側袋部材３を容易に開封して取り外すこがてきるようになっている。
【００１９】
上記のように、吸収性物品４の製品情報が外側袋部材３に表示されるため、内側袋部材２に吸収性物品４の製品情報を表示する必要ない。このため、内側袋部材２の意匠の選択の自由度が拡大されている。例えば、内側袋部材２の外面には、花柄等の吸収性物品４と関係のない意匠８を付与することができる。
【００２０】
このため、利用者が吸収性物品４を購入した後で、外側袋部材３を取り外すことにより、吸収性物品４が入った内側袋部材３を人目に付く場所に置いた場合でも、内側袋部材３を置いたことによる違和感や抵抗感等を軽減できる。その結果、従来のように、吸収性物品４が入った包装材を他の袋部材等に収容したり、包装材を人目に付きにくい場所に置く等の手間のかかる対策も必要なくなる。
【００２１】
また、外側袋部材３の少なくとも一部が透明又は半透明であるため、利用者が吸収性物品４の購入時等に外側袋部材３を介して内側袋部材３の意匠８を確認でき、便利である。
【００２２】
さらに本実施形態では、内側袋部材３の外面には、図３に示すように、止めシール１１が着脱自在に貼着されている。この止めシール１１は、内側袋部材３が開封されたときに内側袋部材３の開封部分１２に貼着して開封部分１２を閉じるためのものであり、貼着面に付与された粘着剤により内側袋部材３の外面に対する貼り付け、取り外しが繰り返し行えるようになっている。また、止めシール１１の一部分は、着脱操作が容易なようにつまみ部１１ａとなっており、止めシール１１の貼着面におけるつまみ部１１ａに相当する領域には、粘着剤が付与されていない。
【００２３】
内側袋部材３には、開封のための弱化部１３が設けられている。この弱化部１３は、内側袋部材３の一部が破断可能に弱化されることにより形成される。具体的には、弱化部１３は、ミシン目等によって構成される。弱化部１３の形状は種々の形状が採用可能であるが、例えば略Ｕ字形又は略Ｌ字形等の形状が採用可能である。内側袋部材３の開封時には、図４に示すように、弱化部１３を手で引き裂く等して破断することにより、内側袋部材３の開封部分１２が開封される。開封部分１２を閉じるときは、内側袋部材３の外面に貼着されている止めシール１１を剥がして、図５に示すように、開封部分１２を閉じた状態で開封部分１２に止めシール１１を貼着することにより、開封部分１２を閉じた状態に保持できる。止めシール１１は繰り返し着脱ができるため、開封部分１２の開閉に対応できる。
【００２４】
このように、内側袋部材３における弱化部１３が破断されて開封された開封部分１２を止めシール１１で閉じることができるため、開封部分１２から中の吸収性物品４が露わになり、人目に付くのを回避できるとともに、吸収性物品４が埃をかぶったり、開封部分１２から吸収性物品４がこぼれ落ちる等の不都合も回避できる。
【符号の説明】
【００２５】
１  包装材、２  内側袋部材、３  外側袋部材、４  吸収性物品、６  製品表示領域、７  弱化部、８  意匠、１１  止めシール、１１ａ  つまみ部、１２  開封部分、１３  弱化部。
【図１】
2011020711.tif 000003
【図２】
2011020711.tif 000004
【図３】
2011020711.tif 000005
【図４】
2011020711.tif 000006
【図５】
2011020711.tif 000007